(57)【要約】【課題】大便器のボウル内に設けられた受尿部に放尿した尿を当てやすくすることができる生体情報測定装置を提供する。【解決手段】便器に排泄された尿を受ける受尿部と、前記受尿部が受けた尿の温度を測定する温度検出センサと、前記受尿部に内蔵された可視光発光部と、尿温度の測定開始を指示する操作部と、前記操作部が尿温度の測定開始の指示を受け付けると前記受尿部を受尿位置に移動させ、且つ前記可視光発光部を点灯させる制御部と、を備えたことを特徴とする生体情報測定装置が提供される。【選択図】図３
2009062739.tif 000002
【特許請求の範囲】
【請求項１】
便器に排泄された尿を受ける受尿部と、
前記受尿部が受けた尿の温度を測定する温度検出センサと、
前記受尿部に内蔵された可視光発光部と、
尿温度の測定開始を指示する操作部と、
前記操作部が尿温度の測定開始の指示を受け付けると前記受尿部を受尿位置に移動させ、且つ前記可視光発光部を点灯させる制御部と、
を備えたことを特徴とする生体情報測定装置。
【請求項２】
便器に排泄された尿を受ける受尿部と、
前記受尿部が受けた尿の温度を測定する温度検出センサと、
前記受尿部を照らす可視光発光部と、
尿温度の測定開始を指示する操作部と、
前記操作部が尿温度の測定開始の指示を受け付けると前記受尿部を受尿位置に移動させ、且つ前記可視光発光部を点灯させる制御部と、
を備えたことを特徴とする生体情報測定装置。
【請求項３】
便器に排泄された尿を受ける受尿部と、
前記受尿部が受けた尿の温度を測定する温度検出センサと、
前記受尿部に内蔵された可視光発光部と、
尿温度の測定開始を指示する操作部と、
前記便器を使用する人を検知すると前記可視光発光部を点灯させる制御部と、
を備えたことを特徴とする生体情報測定装置。
【請求項４】
便器に排泄された尿を受ける受尿部と、
前記受尿部が受けた尿の温度を測定する温度検出センサと、
前記受尿部を照らす可視光発光部と、
尿温度の測定開始を指示する操作部と、
前記便器を使用する人を検知すると前記可視光発光部を点灯させる制御部と、
を備えたことを特徴とする生体情報測定装置。
【請求項５】
前記可視光発光部は発光色が可変の発光ダイオード
を有し、前記温度検出センサが所定の温度以上に達する前後において前記発光ダイオードから放射される発光色が変化し、受尿状況の良否を報知することを特徴とする請求項１〜４のいずれか１つに記載の生体情報測定装置。
【請求項６】
前記受尿部は、受尿口と、前記受尿口に連通させた尿溜まり部と、を有し、前記尿溜まり部に前記温度検出センサおよび前記可視光発光部を設けたことを特徴とする請求項１または３に記載の生体情報測定装置。
【請求項７】
前記温度検出センサで測定した尿温が所定の温度範囲内に安定すると、前記可視光発光部を尿温測定中とは異なる点灯状態にして、尿温の測定終了を報知することを特徴とする請求項１〜６のいずれか１つに記載の生体情報測定装置。
【請求項８】
前記可視光発光部は、前記受尿部から離間させて設けられた発光体と、前記発光体による放射光を前記受尿部に伝送する光ファイバーと、を有することを特徴とする請求項１〜８のいずれか１つに記載の生体情報測定装置。
【発明の詳細な説明】
【技術分野】
【０００１】
本発明は、生体情報測定装置に関し、具体的には放尿された尿を受尿して尿温などを測定することができる生体情報測定装置に関する。
【背景技術】
【０００２】
トイレにおいて、放尿された尿を受尿して尿糖値や尿温などの生体情報を測定して、健康管理を行う試みがある。この試みに伴い、大便器のボウル表面に尿温検出センサを設けて、尿の温度を測定する装置がある（例えば、特許文献１）。特許文献１に記載された装置においては、大便器のボウル表面に尿温検出センサが固定されているため、センサに尿を直接当てることは難しいという問題がある。そのため、大便器のボウルで尿を受けて、尿温検出センサに流れてきた尿の温度を測定することになる。しかし、尿が大便器のボウルを流れるうちに尿の温度が下がってしまい、尿の温度を正確に測定することは難しいという問題がある。
【０００３】
一方、大便器のボウル内を移動して、尿を受尿するための受尿部を設けた装置がある（例えば、特許文献２）。特許文献２に記載された装置においては、受尿部の内部に温度検出センサが設けられているため、この装置を用いて尿温を検出すれば尿が大便器のボウルを流れるうちに尿の温度が下がるということはない。
【０００４】
しかし、受尿直後の尿が受尿部で冷めてしまうため、ある程度の時間、尿を受尿し続ける必要がある。そのため、使用者は放尿した尿を小さな受尿部に当て続ける必要があるが、受尿部が大便器のボウル内に設けられているため、受尿部の周辺が暗くなっており、放尿した尿を小さな受尿部に当て続けることは容易ではない。従って、尿の温度測定に足りるだけの尿量が得られないおそれがある。
【特許文献１】特開平２−５４０２８号公報
【特許文献２】特開平８−２６２０１７号公報
【発明の開示】
【発明が解決しようとする課題】
【０００５】
本発明は、かかる課題の認識に基づいてなされたものであり、大便器のボウル内に設けられた受尿部に放尿した尿を当てやすくすることができる生体情報測定装置を提供する。
【課題を解決するための手段】
【０００６】
本発明の一態様によれば、便器に排泄された尿を受ける受尿部と、前記受尿部が受けた尿の温度を測定する温度検出センサと、前記受尿部に内蔵された可視光発光部と、尿温度の測定開始を指示する操作部と、前記操作部が尿温度の測定開始の指示を受け付けると前記受尿部を受尿位置に移動させ、且つ前記可視光発光部を点灯させる制御部と、を備えたことを特徴とする生体情報測定装置が提供される。
【０００７】
また、本発明の他の一態様によれば、便器に排泄された尿を受ける受尿部と、前記受尿部が受けた尿の温度を測定する温度検出センサと、前記受尿部を照らす可視光発光部と、尿温度の測定開始を指示する操作部と、前記操作部が尿温度の測定開始の指示を受け付けると前記受尿部を受尿位置に移動させ、且つ前記可視光発光部を点灯させる制御部と、を備えたことを特徴とする生体情報測定装置が提供される。
【０００８】
また、本発明の他の一態様によれば、便器に排泄された尿を受ける受尿部と、前記受尿部が受けた尿の温度を測定する温度検出センサと、前記受尿部に内蔵された可視光発光部と、尿温度の測定開始を指示する操作部と、前記便器を使用する人を検知すると前記可視光発光部を点灯させる制御部と、を備えたことを特徴とする生体情報測定装置が提供される。
【０００９】
また、本発明の他の一態様によれば、便器に排泄された尿を受ける受尿部と、前記受尿部が受けた尿の温度を測定する温度検出センサと、前記受尿部を照らす可視光発光部と、尿温度の測定開始を指示する操作部と、前記便器を使用する人を検知すると前記可視光発光部を点灯させる制御部と、を備えたことを特徴とする生体情報測定装置が提供される。
【発明の効果】
【００１０】
本発明によれば、大便器のボウル内に設けられた受尿部に放尿した尿を当てやすくすることができる生体情報測定装置が提供される。
【発明を実施するための最良の形態】
【００１１】
以下、本発明の実施の形態について図面を参照しつつ説明する。なお、各図面中、同様の構成要素には同一の符号を付して詳細な説明は適宜省略する。  
図１は、本発明の第１の実施の形態にかかる生体情報測定装置が設置されたトイレ室を例示する模式図である。
【００１２】
図１に表したトイレ室においては、側壁１０ａに隣接したライニング１２と、ライニング１２に隣接した大便器１４と、生体情報測定装置１と、が設けられている。生体情報測定装置１は、ライニング１２の内部に設けられた生体情報測定器２と、側壁１０ｂに設けられた操作部（リモコン）４と、使用者が放尿した尿を受尿するための受尿ユニット２０と、受尿ユニット２０において受尿した尿を搬送するための搬送管６と、を有する。
【００１３】
大便器１４は、尿などを受けるためのボウル１４ａと、便座１４ｂと、便蓋１４ｃと、を有する。また大便器１４とライニング１２との間においては、ロータンク１５が設けられている。図１に表したトイレ室においては、洗浄機構がいわゆる「ロータンク式」の大便器を例示しているが、この洗浄機構はロータンクを用いない、いわゆる「水道直圧式」であってもよい。また、大便器１４は、便座に座った使用者の「おしり」などに向けて水を噴射し、「おしり」の洗浄を可能とした温水洗浄便座装置を有していてもよい。
【００１４】
生体情報測定器２は、ライニング１２の内部に設けられており、搬送管６を通して搬送された尿を取り入れて、尿糖などを測定する機能などを有している。操作部４は側壁１０ｂに設けられ、表示部４ａ、測定開始スイッチ４ｂ、または洗浄スイッチ４ｃなどを有している。搬送管６は、受尿ユニット２０とライニング１２の内部に設けられた生体情報測定器２との間を接続するように設けられ、受尿ユニット２０で受尿した尿を生体情報測定器２へと搬送する機能などを有している。
【００１５】
図２は、本実施形態にかかる受尿ユニットを上方から眺めた模式図である。なお、図２に表した大便器１４においては、説明の便宜上、便蓋１４ｃを省略している。  
受尿ユニット２０は、駆動部２２と、取付部２４と、受尿装置２６と、を有している。駆動部２２は、例えば操作部４に設けられた測定開始スイッチ４ｂからの指示を受け付けると、受尿装置２６を使用者が放尿する尿の略位置（受尿位置）に移動させるなどの機能などを有している。取付部２４は、大便器１４に固定されており、受尿装置２６および駆動部２２と、大便器１４と、の相対的位置を略同じ位置に固定する機能などを有している。
【００１６】
受尿装置２６は、受尿部３２と回動アーム３０とを有している。受尿部３２と回動アーム３０とは互いに締結され、回動アーム３０によって、受尿部３２は大便器１４のボウル１４ａの内部を移動することができる。図２に表した受尿ユニット２０においては、受尿装置２６が受尿位置に位置している状態が表されている。この状態において、使用者は受尿部３２に放尿した尿を当てて、受尿部３２に尿を受尿させることで、尿糖値または尿温などの生体情報を測定することができる。
【００１７】
一方、使用者が生体情報測定装置１を使用しない場合においては、受尿装置２６は取付部２４の収納部２４ａ（図６参照）に収納されている。従って、使用者が生体情報測定装置１を使用しない場合においては、受尿装置２６が用便の邪魔になることはない。
【００１８】
図３は、本実施形態にかかる受尿装置を分解して眺めた分解斜視図である。  
受尿部３２は、上方部に受尿メッシュ３４（受尿口）が設けられている。この受尿メッシュ３４は、受尿部３２が受尿した時の尿の泡立ちを防止する機能、および受尿した尿が飛び跳ねることを防止する機能、などを有している。受尿部３２の下方部においては、受尿器３６が設けられている。
【００１９】
受尿器３６の内部においては、可視光発光部４０と、温度検出センサ４２と、吸尿口４４と、が設けられている。可視光発光部４０は、例えば発光ダイオード（ＬＥＤ：Light Emitting Diode）などであってもよい。さらに、発光色が可変の発光ダイオードであってもよい。温度検出センサ４２は、例えばサーミスタなどであってもよい。この温度検出センサ４２によって、使用者の尿温を測定することができる。吸尿口４４は、搬送管６を通して生体情報測定器２に尿を搬送するために受尿器３６の内部に溜まった尿を吸引する。
【００２０】
図４は、本実施形態にかかる受尿装置を上方側から眺めた模式図である。  
また、図５は、本実施形態にかかる受尿装置を図４におけるＡ−Ａで切断した断面模式図である。  
受尿器３６は、受尿した尿を一時的に溜めるための尿溜まり部３６ａを有する。可視光発光部４０は、この尿溜まり部３６ａに向かって発光方向４０ａのごとく可視光を放射するように設けられている。温度検出センサ４２は、可視光発光部４０と同様に、先端部が尿溜まり部３６ａに向かう方向に設けられている。この温度検出センサ４２は、尿溜まり部３６ａに一時的に溜まった尿の温度を測定することができる。また、吸尿口４４は尿を吸引する口が下方に向かう方向に設けられている。こうすることによって、尿溜まり部３６ａの下方部に溜まった尿であっても吸引することができる。
【００２１】
可視光発光部４０の電源供給、および駆動部２２の制御信号は、生体情報測定器２の内部に設けられた制御部３から供給される。使用者が操作部４に設けられた測定開始スイッチ４ｂを押すと、受尿装置２６が取付部２４の収納部２４ａ（図６参照）から略受尿位置まで移動する。この動作と同時に、可視光発光部４０が点灯する。可視光発光部４０が点灯することによって、暗いボウル１４ａの内部において受尿部３２が明るくなるため、使用者は受尿部３２の位置や放尿の軌跡を確認しやすくなる。また、受尿部３２自体が発光するため、使用者は受尿部３２を明確に確認することができるため、放尿した尿が受尿部３２に当たっているか否かを明確に確認することができる。なお、受尿部３２の内部が点灯するため、可視光発光部４０の発光色が白色であれば、尿の色が透過されるため、排泄した尿の色を確認することができる。
【００２２】
前述の通り、受尿部３２の上方部においては、受尿メッシュ３４が設けられているため、可視光発光部４０から放射された光は受尿メッシュ３４を通して受尿部３２の外部に漏れる。従って、受尿部３２の外部に漏れた光においては、受尿メッシュ３４に遮られて光量が低下し、使用者はボウル１４ａの内部を覗いてもあまり眩しく感じない。
【００２３】
また、測定開始スイッチ４ｂに依らず、人体を検知するセンサなどによって可視光発光部４０を点灯させてもよい。人体を検知するセンサは、例えば、トイレ室へ入室する使用者を検知するセンサ、大便器１４の前に立つ使用者を検知するセンサ、または便座に座った状態の使用者を検知するセンサ、などが挙げられる。
【００２４】
トイレ室へ入室する使用者を検知するセンサとしては、例えば焦電センサを用いることができる。大便器１４の前に立つ使用者を検知するセンサとしては、例えば赤外線投光式のセンサを用いることができる。便座に座った状態の使用者を検知するセンサとしては、例えば着座センサを用いることができる。
【００２５】
これらの少なくともいずれかのセンサを用いる場合においては、測定開始スイッチ４ｂを押すまでの間は受尿部３２が取付部２４の収納部２４ａ（図６参照）に収納された状態のままで可視光発光部４０が点灯する。従って、大便器１４のボウル１４ａの内部が間接的に照明されるという装飾効果を出すことができる。
【００２６】
可視光発光部４０が発光色可変の発光ダイオードであれば、温度検出センサ４２が所定の温度以上に達したときに、発光ダイオードの発光色を例えば白色から青色に変化させることで、排泄された尿が尿溜まり部３６ａに溜まっていることを報知することができる。この所定の温度は、人の体温下限値近傍の温度（例えば３５℃）とするのが好ましい。そうすれば、尿温を測定するのに足りるだけの尿量が尿溜まり部３６ａに溜まっていることを報知することができる。これは、生体情報測定装置１の尿温測定系が正常に動作していることを報知するものでもある。
【００２７】
また、温度検出センサ４２で計測された尿温が所定の温度領域内に略安定すれば、それは尿温測定が完了したことを意味するため、発光色可変の発光ダイオードの発光色を例えば青色から黄色に変化させることで、尿温測定が完了したことを報知してもよい。所定の温度領域とは、例えば約３５℃〜４２℃程度である。  
そして、可視光発光部４０により受尿状態と尿温測定状態の双方を報知してもよい。その場合、尿温を測定するのに足りるだけの尿量が尿溜まり部３６ａに溜まったことを報知したにも関わらず、その後尿温測定の完了が報知されない状態は、使用者に測定の仕方について注意喚起を促す報知を行ったことになる。
【００２８】
このように、発光色が可変の発光ダイオードの発光色を変化させることによって、受尿状態や測定系の動作状態や尿温測定状態を報知することができる。つまり、使用者は大便器１４のボウル１４ａの内部を覗き込むことで、放尿した尿が受尿部３２に確実に当たっていることを確認しつつ、受尿状態や測定系の動作状態や尿温測定状態を知ることができる。
【００２９】
なお、可視光発光部４０の発光色を変化させる他に、可視光発光部４０の点灯状態を点滅状態に変化させてもよい。さらに、可視光発光部４０の点灯状態を消灯状態に変化させてもよい。例えば、温度検出センサの検知反応によって可視光発光部４０の点灯状態を０．５秒周期の点滅状態に変化させて、尿温を測定するのに足りるだけの尿量が確保され尿温測定状態に移行したことを報知してもよい。さらに例えば、温度検出センサ４２で計測された尿温が所定の温度領域内に略安定した場合において、０．５秒周期の点滅状態を２秒周期の点滅状態に変化させて、尿温測定が完了したことを報知してもよい。
【００３０】
以下、人体の体温について説明する。  
人体の体温は、二重構造を有している。つまり、人体の核心部の体温である「核心温」と、人体の外層部の体温である「外層温」と、がある。核心温は生命維持に関わる基幹の温度であり、一定の幅に保つ必要がある。一方、外層温は核心温の調整に利用され、外気温などにより変動する。
【００３１】
核心部において熱が生産されると、核心温を一定の幅に保つため、外層部において放熱が行われる。放熱の方法としては、発汗や血管運動などが挙げられる。つまり、外層温は核心温と比較すると、変動が大きい。
【００３２】
一般的に体温を測定する場合においては、脇下または舌下に体温計を当てて測定することが多い。この測定方法においては、測定者の外層温を測定していることになる。しかし、前述の通り、外層温は核心温に比べて変動が大きいため、核心温に比べると測定結果のばらつきが大きい。従って、測定結果のばらつきがより小さい、且つ、より正確な体温を測定するためには、核心温を測定することが望ましい。
【００３３】
核心温を測定することができれば、より正確な平熱温を知ることができ、さらに測定結果のばらつきも小さいため、測定結果同士の比較をしやすくなる。核心温が安定しない場合においては、体調の悪化や様々な病気の過程および結果を知ることができる。つまり、核心温を測定することによって、生体の本当の状態を知ることができる。
【００３４】
本発明者の調査の結果、測定者の放尿した尿の尿温は核心温に近いことが分かった。そこで、放尿された尿を受尿して尿温などの生体情報を測定することは、将来の生体情報測定装置として非常に有望である。
【００３５】
以上説明したように、本実施形態によれば、可視光発光部４０が点灯することによって、暗いボウル１４ａの内部において受尿部３２が照射されるため、使用者は受尿部３２の位置や放尿の軌跡を確認しやすくなる。つまり、使用者は大便器１４のボウル１４ａの内部に設けられた受尿部３２に放尿した尿を当てやすくすることができる。
【００３６】
次に、本発明の第２の実施の形態について説明する。  
図６は、本発明の第２の実施の形態にかかる生体情報測定装置の受尿ユニットを切断した断面模式図である。  
図６に表した受尿ユニット２０は、図２に表した受尿ユニット２０におけるＢ−Ｂ断面に相当する。図６に表した受尿ユニット２０は、図２に表した受尿ユニット２０と同様に、受尿部３２と回動アーム３０とを有している。受尿部３２と回動アーム３０とは互いに締結され、回動アーム３０によって、受尿部３２は大便器１４のボウル１４ａの内部を移動することができる。
【００３７】
大便器１４は、尿などを受けるためのボウル１４ａと、便座１４ｂと、を有する。受尿ユニット２０の取付部２４は、大便器１４に固定されており、受尿装置２６と、大便器１４と、の相対的位置を略同じ位置に固定する機能などを有している。取付部２４は、大便器１４のボウル１４ａの方向に向かって収納部２４ａが設けられている。使用者が生体情報測定装置１を使用しない場合においては、受尿装置２６はこの収納部２４ａに収納されている。従って、使用者が生体情報測定装置１を使用しない場合においては、受尿装置２６が用便の邪魔になることはない。
【００３８】
本実施形態の生体情報測定装置１は、便座１４ｂに可視光発光部４０が設けられている。可視光発光部４０は、受尿部３２に向かって発光方向４０ａのごとく可視光を放射するように設けられている。つまり、本実施形態の生体情報測定装置１は、受尿部３２の外部から受尿部３２を照射する構造を有している。その他の構造は、第１の実施の形態における生体情報測定装置１と同様の構造を有している。
【００３９】
本実施形態の生体情報測定装置１においては、便座１４ｂなどを有する衛生洗浄装置に可視光発光部４０が設けられているため、測定開始スイッチ４ｂに依らず、例えば大便器１４の前に立つ使用者を検知するセンサ、または便座に座った状態の使用者を検知するセンサ、などからの指示を受け付けることによって、可視光発光部４０が点灯されることが好ましい。
【００４０】
大便器１４の前に立つ使用者を検知するセンサとしては、前述の通り、例えば赤外線投光式のセンサを用いることができるし、また、便座に座った状態の使用者を検知するセンサとしては、例えば着座センサを用いることができる。
【００４１】
可視光発光部４０が便座１４ｂの後方部、つまり使用者が便座１４ｂに着座した状態における背中側、に設けられている場合においては、便座１４ｂに着座した使用者の臀部が発光方向４０ａの妨げとなり、可視光発光部４０は受尿部を照射することができない可能性がある。これに対して、本実施形態の生体情報測定装置１においては、可視光発光部４０が便座１４ｂの前方部に設けられるため、発光方向４０ａが使用者によって妨げられることなく受尿部３２を照射することができる。
【００４２】
以下、本実施形態の変形例について図面を参照しつつ説明する。  
図７は、本実施形態の変形例にかかる生体情報測定装置の受尿ユニットを切断した断面模式図である。  
図７に表した受尿ユニット２０は、図２に表した受尿ユニット２０におけるＢ−Ｂ断面に相当する。
【００４３】
本変形例の生体情報測定装置１は、受尿ユニット２０の取付部２４に可視光発光部４０が設けられている。可視光発光部４０は、受尿部３２に向かって発光方向４０ａのごとく可視光を放射するように設けられている。つまり、本実施形態の生体情報測定装置１は、図６に表した生体情報測定装置１と同様に、受尿部３２の外部から受尿部３２を照射する構造を有している。その他の構造は、図６に表した生体情報測定装置１と同様の構造を有している。
【００４４】
本変形例においては、受尿ユニット２０の取付部２４に可視光発光部４０が設けられているため、測定開始スイッチ４ｂからの指示を受け付けることによって、可視光発光部４０が点灯されることが好ましい。
【００４５】
また、可視光発光部４０が便座１４ｂの後方部、つまり使用者が便座１４ｂに着座した状態における背中側、に設けられている場合においては、便座１４ｂに着座した使用者の臀部が発光方向４０ａの妨げとなり、可視光発光部４０は受尿部を照射することができない可能性がある。これに対して、本具体例の生体情報測定装置１においては、図６に表した生体情報測定装置１と同様に、可視光発光部４０が便座１４ｂの前方部に設けられるため、発光方向４０ａが使用者によって妨げられることなく受尿部３２を照射することができる。
【００４６】
以上説明したように、本実施形態によれば、可視光発光部４０が点灯することによって、受尿部３２の外部から受尿部３２が照射されるため、使用者は受尿部３２の位置や放尿の軌跡を確認しやすくなる。つまり、使用者は大便器１４のボウル１４ａの内部に設けられた受尿部３２に放尿した尿を当てやすくすることができる。
【００４７】
次に、本発明の第３の実施の形態について説明する。  
図８は、本発明の第３の実施の形態にかかる受尿装置を上方側から眺めた模式図である。  
本実施形態における受尿装置２６は、図４に表した受尿装置２６と同様に、受尿部３２と回動アーム３０とを有する。受尿部３２は受尿器３６を有し、この受尿器３６内部においては、レンズ１４６と、温度検出センサ４２と、吸尿口４４と、が設けられている。
【００４８】
温度検出センサ４２は、例えばサーミスタなどであってもよい。この温度検出センサ４２によって、使用者の尿温を測定することができる。吸尿口４４は、搬送管６（図１参照）を通して生体情報測定器２（図１参照）に尿を搬送するために受尿器３６の内部に溜まった尿を吸引する。
【００４９】
生体情報測定器２の内部においては、可視光発光ユニット１４０が設けられている。可視光発光ユニット１４０は、可視光発光素子１４１を有している。この可視光発光素子１４１は、例えば発光ダイオード（ＬＥＤ：Light Emitting Diode）などであってもよい。さらに、発光色が可変の発光ダイオードであってもよい。回動アーム３０の内部においては、光ファイバー１４５が設けられている。
【００５０】
可視光発光素子１４１から発光された光は、光ファイバー１４５を通してレンズ１４６に伝送される。レンズ１４６に伝送された光は、尿溜まり部３６ａに向かって発光方向１４０ａのごとく放射される。
【００５１】
温度検出センサ４２は、レンズ１４６と同様に、先端部が尿溜まり部３６ａに向かう方向に設けられている。この温度検出センサ４２は、尿溜まり部３６ａに一時的に溜まった尿の温度を測定することができる。また、吸尿口４４は尿を吸引する口が下方に向かう方向に設けられている。こうすることによって、尿溜まり部３６ａの下方部に溜まった尿であっても吸引することができる。その他の構造は、第１の実施の形態における生体情報測定装置１と同様の構造を有している。
【００５２】
本実施形態の生体情報測定装置１によれば、可視光発光ユニット１４０が受尿部３２の外部に設けられているため、受尿部３２を小型化することができる。受尿部３２は大便器１４のボウル１４ａの内部を移動するため、小型であることが好ましい。従って、本実施形態の生体情報測定装置１は、受尿部３２が大便器１４のボウル１４ａの内部を移動するのにより適した構造を有している。
【００５３】
また、可視光発光素子１４１から光ファイバー１４５を通して伝送された光が、レンズ１４６によって受尿部３２の内部に放射されるため、使用者は受尿部３２を明確に確認することができる。そのため、使用者は放尿した尿が受尿部３２に当たっているか否かを明確に確認することができる。
【００５４】
以下、本実施形態の変形例について図面を参照しつつ説明する。  
図９は、本実施形態の変形例にかかる受尿装置を上方側から眺めた模式図である。  
本実施形態における受尿装置２６は、図４に表した受尿装置２６と同様に、受尿部３２と回動アーム３０とを有する。受尿部３２は受尿器３６を有し、この受尿器３６内部においては、レンズ１４６と、吸尿口４４と、が設けられている。吸尿口４４は、搬送管６（図１参照）を通して生体情報測定器２（図１参照）に尿を搬送するために受尿器３６の内部に溜まった尿を吸引する。
【００５５】
生体情報測定器２の内部においては、可視光発光ユニット１４０が設けられている。可視光発光ユニット１４０は、可視光発光素子１４１と、感温素子１４２と、ＩＲ（Infrared rays）フィルタ１４７と、プリズム１４８と、を有している。可視光発光素子１４１は、例えば発光ダイオード（ＬＥＤ：Light Emitting Diode）などであってもよい。さらに、発光色が可変の発光ダイオードであってもよい。回動アーム３０の内部においては、光ファイバー１４５が設けられている。
【００５６】
感温素子１４２は、赤外線（ＩＲ：Infrared rays）を感知して、使用者の尿温を測定できる機能を有している。ＩＲフィルタ１４７は、赤外線（ＩＲ：Infrared rays）のみを通過させる機能を有している。また、プリズム１４８は、可視光発光素子１４１から発光された光を光ファイバー１４５の方向へ変換させる機能と、光ファイバー１４５を通して伝送された尿温に関する情報信号を感温素子１４２が設けられた方向へ変換させる機能と、を有している。
【００５７】
可視光発光素子１４１から発光された光は、プリズム１４８および光ファイバー１４５を通して、レンズ１４６に伝送される。レンズ１４６に伝送された光は、尿溜まり部３６ａに向かって発光方向１４０ａのごとく放射される。また、レンズ１４６は尿溜まり部３６ａに一時的に溜まった尿の尿温の情報信号を光ファイバー１４５を通して可視光発光ユニット１４０へと伝送する。
【００５８】
尿温の情報信号が可視光発光ユニット１４０へ伝送されると、プリズム１４８において情報信号が感温素子１４２が設けられた方向へ変換され、ＩＲフィルタ１４７を通して感温素子１４２へと伝送される。このようにして、使用者の尿温を測定することができる。
【００５９】
吸尿口４４は尿を吸引する口が下方に向かう方向に設けられている。こうすることによって、尿溜まり部３６ａの下方部に溜まった尿であっても吸引することができる。その他の構造は、第１の実施の形態における生体情報測定装置１と同様の構造を有している。
【００６０】
本変形例の生体情報測定装置１によれば、可視光発光素子１４１および感温素子１４２が受尿部３２の外部に設けられているため、図８に表した受尿部３２よりもさらに小型化することができる。受尿部３２は大便器１４のボウル１４ａの内部を移動するため、小型であることが好ましい。従って、本変形例の生体情報測定装置１は、受尿部３２が大便器１４のボウル１４ａの内部を移動するのにより適した構造を有している。
【００６１】
また、可視光発光素子１４１から光ファイバー１４５を通して伝送された光が、レンズ１４６によって受尿部３２の内部に放射されるため、使用者は受尿部３２を明確に確認することができる。そのため、使用者は放尿した尿が受尿部３２に当たっているか否かを明確に確認することができる。さらに、感温素子１４２が受尿部３２の外部に設けられて尿に接触しないため、一時的に溜まった尿の尿温が冷めにくいという効果も期待できる。
【００６２】
以上説明したように、本実施形態によれば、可視光発光素子１４１から発光された光が光ファイバー１４５を通してレンズ１４６に伝送され、このレンズ１４６によって受尿部３２の内部に光が放射されるため、使用者は受尿部３２の位置や放尿の軌跡を確認しやすくなる。つまり、使用者は大便器１４のボウル１４ａの内部に設けられた受尿部３２に放尿した尿を当てやすくすることができる。
【００６３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、生体情報測定装置１などが備える各要素の形状、寸法、材質、配置などや受尿装置２６の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００６４】
【図１】本発明の第１の実施の形態にかかる生体情報測定装置が設置されたトイレ室を例示する模式図である。
【図２】本実施形態にかかる受尿ユニットを上方から眺めた模式図である。
【図３】本実施形態にかかる受尿装置を分解して眺めた分解斜視図である。
【図４】本実施形態にかかる受尿装置を上方側から眺めた模式図である。
【図５】本実施形態にかかる受尿装置を図４におけるＡ−Ａで切断した断面模式図である。
【図６】本発明の第２の実施の形態にかかる生体情報測定装置の受尿ユニットを切断した断面模式図である。
【図７】本実施形態の変形例にかかる生体情報測定装置の受尿ユニットを切断した断面模式図である。
【図８】本発明の第３の実施の形態にかかる受尿装置を上方側から眺めた模式図である。
【図９】本実施形態の変形例にかかる受尿装置を上方側から眺めた模式図である。
【符号の説明】
【００６５】
１ 生体情報測定装置、  ２ 生体情報測定器、  ３ 制御部、  ４ 操作部、  ４ａ 表示部、  ４ｂ 測定開始スイッチ、  ４ｃ 洗浄スイッチ、  ６ 搬送管、  １０ａ 、１０ｂ 側壁、  １２ ライニング、  １４ 大便器、  １４ａ ボウル、  １４ｂ 便座、  １４ｃ 便蓋、  １５ ロータンク、  ２０ 受尿ユニット、  ２２ 駆動部、  ２４ 取付部、  ２４ａ 収納部、  ２６ 受尿装置、  ３０ 回動アーム、  ３２ 受尿部、  ３４ 受尿メッシュ、  ３６ 受尿器、  ３６ａ 尿溜まり部、  ４０ 可視光発光部、  ４０ａ 発光方向、  ４２ 温度検出センサ、  ４４ 吸尿口、  １４０ 可視光発光ユニット、  １４０ａ 発光方向、  １４１ 可視光発光素子、  １４２ 感温素子、  １４５ 光ファイバー、  １４６ レンズ、  １４７ ＩＲフィルタ、  １４８ プリズム
【図１】
2009062739.tif 000003
【図２】
2009062739.tif 000004
【図３】
2009062739.tif 000005
【図４】
2009062739.tif 000006
【図５】
2009062739.tif 000007
【図６】
2009062739.tif 000008
【図７】
2009062739.tif 000009
【図８】
2009062739.tif 000010
【図９】
2009062739.tif 000011